【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】
読み出し専用記憶手段に記憶された画質設定パラメータデータに基づいて画質調整動作を行うように構成された画像形成装置において、
特注画質設定パラメータデータを記憶保持する書き込み可能な不揮発性記憶手段である特注画質記憶手段と、
前記読み出し専用記憶手段に記憶された画質設定パラメータデータ又は前記特注画質記憶手段に記憶された特注画質設定パラメータデータのいずれか一方を選択的に読み出すための画質パラメータ選択手段と、
前記画質パラメータ選択手段により選択された前記画質設定パラメータデータ又は前記特注画質設定パラメータデータに基づいて画質調整を行う制御手段と、
前記読み出し専用記憶手段に記憶された画質設定パラメータデータを特注画質設定パラメータデータとして前記特注画質記憶手段に複写する複写手段と、
を備えたことを特徴とする画像形成装置。
【請求項２】
請求項１記載の画像形成装置において、
前記複写手段は前記画質設定パラメータデータの複写に際して、当該画質設定パラメータデータの属性も複写することを特徴とする画像形成装置。
【請求項３】
請求項１又は２に記載の画像形成装置において、
前記画質設定パラメータデータ及び前記特注画質設定パラメータデータとして用いられるデータが色変換参照表データであることを特徴とする画像形成装置。
【請求項４】
請求項３に記載の画像形成装置において、
前記読み出し専用記憶手段に記憶された画質設定パラメータデータ及び前記特注画質記憶手段に記憶された特注画質設定パラメータデータの属性情報を示す表示手段を備えたことを特徴とする画像形成装置。
【請求項５】
請求項４に記載の画像形成装置において、
前記表示手段は、表示された前記属性情報からユーザ好みの属性情報の選択指示を入力することにより、ユーザ指示情報を入力操作する操作手段を備えたことを特徴とする画像形成装置。
【手続補正２】
【補正対象書類名】明細書
【補正対象項目名】０００８
【補正方法】変更
【補正の内容】
【０００８】
【課題を解決するための手段】
請求項１に記載の発明は、読み出し専用記憶手段に記憶された画質設定パラメータデータに基づいて画質調整動作を行うように構成された画像形成装置において、特注画質設定パラメータデータを記憶保持する書き込み可能な不揮発性記憶手段である特注画質記憶手段と、前記読み出し専用記憶手段に記憶された画質設定パラメータデータ又は前記特注画質記憶手段に記憶された特注画質設定パラメータデータのいずれか一方を選択的に読み出すための画質パラメータ選択手段と、前記画質パラメータ選択手段により選択された前記画質設定パラメータデータ又は前記特注画質設定パラメータデータに基づいて画質調整を行う制御手段と、前記読み出し専用記憶手段に記憶された画質設定パラメータデータを特注画質設定パラメータデータとして前記特注画質記憶手段に複写する複写手段と、を備えたことを特徴としている。
【手続補正３】
【補正対象書類名】明細書
【補正対象項目名】０００９
【補正方法】変更
【補正の内容】
【０００９】
この請求項１に記載の発明によれば、制御手段は特注画質記憶手段に記憶された特注画質設定パラメータデータに基づいて画質調整を行うことができるので、読み出し専用記憶手段又はその記憶データである画質設定パラメータデータが変更されても、常に一定の画質設定状態を維持することができる。したがって、ユーザの好みに合った特注画質設定パラメータデータを常に一定の状態に維持しつつ、バージョンの更新に対応可能な画像形成装置を提供することができる。また、画質パラメータ選択手段により、読み出し専用記憶手段に記憶された画質設定パラメータデータ又は特注画質記憶手段に記憶された特注画質設定パラメータデータのいずれか一方を選択することができ、この選択された画質設定パラメータデータに基づいて制御手段が画質調整を行うので、画質調整の自由度が向上し、画質選択範囲の多様化を図ることができる。更に、複写手段により、読み出し専用記憶手段に記憶された画質設定パラメータデータを特注画質設定パラメータデータとして特注画質記憶手段に複写することができる。その結果、例えば、当該画像形成装置の初期（あるいは適当な時期）の段階においてユーザの好みに応じて画質設定された画質設定パラメータデータが特注画質記憶手段にそのまま保存されることになり、その後においてバージョンアップ等の理由で読み出し専用記憶手段が交換されたとしても、画質設定状態は依然としてユーザの好みが反映された状態を維持することになる。したがって、読み取り専用記憶手段の交換に際して、特注画質設定パラメータデータを再度書き直す必要がなくなり、利便性の向上、手間の省力化、経済性の向上を達成することができる。また、特注画質記憶手段が不揮発性であるため、外部からの電力の供給が停止した場合であっても特注画質設定パラメータデータを保持することができ、特注ユーザの好みに合った特注画質設定パラメータデータを常に一定の状態に維持することができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項２に記載の発明は、請求項１に記載の画像形成装置において、前記複写手段は前記画質設定パラメータデータの複写に際して、当該画質設定パラメータデータの属性も複写することを特徴としている。
【手続補正９】
【補正対象書類名】明細書
【補正対象項目名】００１５
【補正方法】変更
【補正の内容】
【００１５】
この請求項２に記載の発明によれば、画質設定パラメータデータの属性を記憶することにより、画質設定パラメータごとの属性を利用して画質調整動作を行うことを容易とすることができる。
【手続補正１０】
【補正対象書類名】明細書
【補正対象項目名】００１６
【補正方法】変更
【補正の内容】
【００１６】
請求項３に記載の発明は、請求項１又は２に記載の画像形成装置において、前記画質設定パラメータデータ及び前記特注画質設定パラメータデータとして用いられるデータが色変換参照表データであることを特徴とする画像形成装置。
【手続補正１１】
【補正対象書類名】明細書
【補正対象項目名】００１７
【補正方法】変更
【補正の内容】
【００１７】
この請求項３に記載の発明によれば、光の三原色ＲＧＢ（Red-Green-Blue：RGB color model）色空間と色の三原色ＣＭＹＫ（Cyan-Magenta-Yellow-blacK：CMYK color model）色空間といった違った色空間を結びつける上で必要とされる色変換参照データを用いることにより、フルカラープリントにおける安定した色再現性を向上することができ、画像形成装置固有の画質を実現することができる。
【手続補正１２】
【補正対象書類名】明細書
【補正対象項目名】００１８
【補正方法】変更
【補正の内容】
【００１８】
請求項４に記載の発明は、請求項３に記載の画像形成装置において、前記読み出し専用記憶手段に記憶された画質設定パラメータデータ及び前記特注画質記憶手段に記憶された特注画質設定パラメータデータの属性情報を示す表示手段を備えたことを特徴とする画像形成装置。
【手続補正１３】
【補正対象書類名】明細書
【補正対象項目名】００１９
【補正方法】変更
【補正の内容】
【００１９】
この請求項４に記載の発明によれば、画質設定パラメータデータの属性情報を表示することにより、表示されている属性情報を確認して、対応付けられている画質設定パラメータデータを用い、ユーザの要望に沿った画質の画質調整動作を行うことができる。
【手続補正１４】
【補正対象書類名】明細書
【補正対象項目名】００２０
【補正方法】変更
【補正の内容】
【００２０】
請求項５に記載の発明は、請求項４に記載の画像形成装置において、前記表示手段は、表示された前記属性情報からユーザ好みの属性情報の選択指示を入力することにより、ユーザ指示情報を入力操作する操作手段を備えたことを特徴とする画像形成装置。
【手続補正１５】
【補正対象書類名】明細書
【補正対象項目名】００２１
【補正方法】変更
【補正の内容】
【００２１】
この請求項５に記載の発明によれば、ユーザの好みによって属性情報を選択し入力操作することにより、ユーザの要望に沿った画質での画質調整動作を容易に行うことができ、画質調整動作の操作性を向上させる。
【手続補正１６】
【補正対象書類名】明細書
【補正対象項目名】００５４
【補正方法】変更
【補正の内容】
【００５４】
【発明の効果】
請求項１に記載の発明によれば、制御手段は特注画質記憶手段に記憶された特注画質設定パラメータデータに基づいて画質調整を行うことができるので、読み出し専用記憶手段又はその記憶データである画質設定パラメータデータが変更されても、常に一定の画質設定状態を維持することができる。したがって、特注ユーザの好みに合った特注画質設定パラメータデータを常に一定の状態に維持しつつ、バージョンの更新に対応可能な画像形成装置を提供することができる。また、画質パラメータ選択手段により、読み出し専用記憶手段に記憶された画質設定パラメータデータ又は特注画質記憶手段に記憶された特注画質設定パラメータデータのいずれか一方を選択することができ、この選択された画質設定パラメータデータに基づいて制御手段が画質調整を行うので、画質調整の自由度が向上し、画質選択範囲の多様化を図ることができる。更に、複写手段により、読み出し専用記憶手段に記憶された画質設定パラメータデータを特注画質設定パラメータデータとして特注画質記憶手段に複写することができる。その結果、例えば、当該画像形成装置の初期（あるいは適当な時期）の段階においてユーザの好みに応じて画質設定された画質設定パラメータデータが特注画質記憶手段にそのまま保存されることになり、その後においてバージョンアップ等の理由で読み出し専用記憶手段が交換されたとしても、画質設定状態は依然としてユーザの好みが反映された状態を維持することになる。したがって、読み取り専用記憶手段の交換に際して、特注画質設定パラメータデータを再度書き直す必要がなくなり、利便性の向上、手間の省力化、経済性の向上を達成することができる。また、特注画質記憶手段が不揮発性であるため、外部からの電力の供給が停止した場合であっても特注画質設定パラメータデータを保持することができ、特注ユーザの好みに合った特注画質設定パラメータデータを常に一定の状態に維持することができる。
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】削除
【補正の内容】
【手続補正１９】
【補正対象書類名】明細書
【補正対象項目名】００５７
【補正方法】変更
【補正の内容】
【００５７】
請求項２に記載の発明によれば、請求項１と同様の効果が得られるのはもちろんのこと、画質設定パラメータデータの属性を記憶することにより、画質設定パラメータごとの属性を利用して画質調整動作を行うことを容易とすることができる。
【手続補正２０】
【補正対象書類名】明細書
【補正対象項目名】００５８
【補正方法】変更
【補正の内容】
【００５８】
請求項３に記載の発明によれば、請求項１又は２と同様の効果が得られるのはもちろんのこと、光の三原色ＲＧＢ色空間と色の三原色ＣＭＹＫ色空間といった違った色空間を結びつける上で必要とされる色変換参照データを用いることにより、フルカラープリントにおける安定した色再現性を向上することができ、画像形成装置固有の画質を実現することができる。
【手続補正２１】
【補正対象書類名】明細書
【補正対象項目名】００５９
【補正方法】変更
【補正の内容】
【００５９】
請求項４に記載の発明によれば、請求項３と同様の効果が得られるのはもちろんのこと、画質設定パラメータデータの属性情報を表示することにより、表示されている属性情報を確認して、対応付けられている画質設定パラメータデータを用い、ユーザの要望に沿った画質の画質調整動作を行うことができる。
【手続補正２２】
【補正対象書類名】明細書
【補正対象項目名】００６０
【補正方法】変更
【補正の内容】
【００６０】
請求項５に記載の発明によれば、請求項４と同様の効果が得られるのはもちろんのこと、ユーザの好みによって属性情報を選択し入力操作することにより、ユーザの要望に沿った画質での画質調整動作を容易に行うことができ、画質調整動作の操作性を向上させる。